(57)【要約】【課題】記録情報表示ラベルの保持方法が容易で使用中は確実に保持されて提供する記録情報を表示した後に、再利用時には記録情報表示ラベルの取り外し方法が容易で接着剤が残ることが無く再利用が容易で低コストの外装カバー及びその外装カバーを具備する画像形成装置を提供する。【解決手段】装置の一部又は全部を覆う外装カバー本体１と、上記外装カバー本体の穴を開けて形成した記録情報表示穴２と、上記記録情報表示穴から記録情報を表示する記録情報表示ラベル３と、上記記録情報表示ラベルを接着剤を使用することなく記録情報を表示して差込又は押圧して保持する記録情報表示ラベル保持手段４とからなる。【選択図】　　　図１
2004004196.tif 000002
【特許請求の範囲】
【請求項１】
ラベルを取り外して再利用する外装カバーにおいて、装置の一部又は全部を覆う外装カバー本体と、上記外装カバー本体に穴を開けて形成した記録情報表示穴と、上記記録情報表示穴内に配置されて記録情報を表示する記録情報表示ラベルと、上記記録情報表示ラベルを接着剤を使用することなく記録情報を表示して差込又は押圧して保持する記録情報表示ラベル保持手段とからなることを特徴とする外装カバー。
【請求項２】
請求項１に記載の外装カバーにおいて、記録情報表示ラベル保持手段は、記録情報表示穴に記録情報表示ラベルの角を差し込む記録情報表示ラベル角差込穴からなることを特徴とする外装カバー。
【請求項３】
請求項２に記載の外装カバーにおいて、記録情報表示ラベル角差込穴は、複数個からなることを特徴とする外装カバー。
【請求項４】
請求項１、２又は３に記載の外装カバーにおいて、記録情報表示ラベル保持手段は、記録情報表示ラベルの記録情報非表示面を覆って分割して抑える抑え部材とからなることを特徴とする外装カバー。
【請求項５】
請求項４に記載の外装カバーにおいて、抑え部材は、記録情報表示ラベルの表示面の中央部に形成したことを特徴とする外装カバー。
【請求項６】
請求項１に記載の外装カバーにおいて、記録情報表示ラベル保持手段は、記録情報表示ラベルの表示面の表示面端部に当接する表示面端部当接部と、差し込まれる上記記録情報表示ラベルの裏面の裏面端部の差込を案内して保持する裏面端部差込案内保持部材とからなることを特徴とする外装カバー。
【請求項７】
請求項６に記載の外装カバーにおいて、裏面端部差込案内保持部材は、滑り込ませて差し込まれた記録情報表示ラベルの逆戻りを防止する逆戻り防止部材を備えることを特徴とする外装カバー。
【請求項８】
請求項項１に記載の外装カバーにおいて、記録情報表示ラベル保持手段は、記録情報表示ラベルの表示面の表示面端部に当接する表示面端部当接部と、記録情報表示ラベルの裏面を押圧して保持する記録情報表示ラベル裏面押圧保持カバーからなることを特徴とする外装カバー。
【請求項９】
請求項８に記載の外装カバーにおいて、記録情報表示ラベル裏面押圧保持カバーは、外装カバー本体に位置決めする位置決め部材を備えることを特徴とする外装カバー。
【請求項１０】
請求項８又は９に記載の外装カバーにおいて、記録情報表示ラベル裏面押圧保持カバーは、外装カバー本体に記録情報表示ラベルの表示面側から固定する固定手段を備えることを特徴とする外装カバー。
【請求項１１】
請求項１０に記載の外装カバーにおいて、固定手段は、外装カバー本体に形成された螺子穴と、上記螺子穴に挿入する止め螺子と、上記止め螺子で螺子止めする記録情報表示ラベル裏面押圧保持カバーに形成したセルフタップ螺子用下穴とからなることを特徴とする外装カバー。
【請求項１２】
電子写真方法で画像を形成する装置を再利用する外装カバーで覆って画像を形成する画像形成装置において、形成画像を被転写体に転写してトナー画像を形成するトナー画像形成手段と、上記トナー画像形成手段を覆う請求項１乃至１１の何れか一項に記載の外装カバーと、上記外装カバーを装置本体に固定する固定部材からなることを特徴とする画像形成装置。
【発明の詳細な説明】
【０００１】
【発明の属する技術分野】
本発明は、外装カバー及びその外装カバーを具備する画像形成装置に関し、詳しくは、ラベルを取り外して再利用する外装カバー、及び、電子写真方法で画像を形成する装置を再利用する外装カバーで覆って画像を形成する複写機、ファクシミリ装置、プリンタあるいはこれらの複合機等の画像形成装置に関する。
【０００２】
【従来の技術】
複写機やプリンタ等の画像形成装置において、装置の外装を構成する外装カバーには、操作手順や部品交換の順序等の所定の記録情報を文字、図形、模様等を用いて書き込んだ記録情報表示ラベルが、ユーザやサービスマン等の為に、接着剤で貼り付けられている。
図１３は従来の画像形成装置の外装体の概略図であり、複写機、ファクシミリ装置、プリンタあるいはこれらの複合機等の画像形成装置本体１１０ａに取り付け螺子１１２で取り付けられて、トナー画像を形成するトナー画像形成部１１１の装置を覆う外装カバー１００には、複数の記録情報が書き込まれた記録情報表示ラベル１１３が接着剤１１４によって貼り付けられている。
複写機、ファクシミリ装置、プリンタあるいはこれらの複合機等の画像形成装置の使用限度が過ぎると、従来では廃棄されていた装置から外装カバーを取り外し、この外装カバーを粉砕、溶融した後に、再び同一材料として使用する材料リサイクルが行なわれている。
然し、外装カバーには、記録情報表示ラベルが接着剤で貼り付けられていて、この記録情報表示ラベルを剥離する時に接着剤残りが生じたり、記録情報表示ラベル自体が非常に剥離しにくかったり、記録情報表示ラベル自体が切断することによって、材料リサイクルがコスト高になっていた。
そこで、外装カバー基体の外観表面部に剥離可能な透明フイルムを貼り合わせて、リサイクルを阻害するラベルが外装カバー基体に直接に貼り付くことを回避し、透明フイルムをラベルと共に剥離することにより、リサイクル阻害を排除することは公知である（特開２０００−６６６０７の公報を参照）。
【０００３】
又、裏面に接着剤が塗布されたデカルが剥離可能にカバーの被接着面に接着された画像形成装置において、デカルの裏面の接着剤を間隔を有して配置された複数の帯形状又はドット形状に塗布して、デカルが接着された後の剥離作業を容易化でき、画像形成装置等のカバー等のリサイクル可能部品等の被接着面に接着された後に容易に剥離できるようにしてリサイクル等のコストを低減することも公知である（特開平７−３０２０３０号の公報を参照）。
更に、複写装置等のデカル被貼り付け体に、各種の表示内容が書き込まれたデカルを接着剤で貼りつけ、デカル被貼り付け体に凹窪部を設け、その凹窪部とデカルとの間に、デカル引き剥がし用のドライバーを入れることができる隙間を設け、デカルを除去し易くして、デカルが貼り付けられた被貼り付け体のリサイクル性を良くすることも公知である（特開平７−３３４０９０号の公報を参照）。
然し、外装カバーをそのまま同じ外装カバーとして再利用するためには、記録情報表示ラベルの貼替えが容易に出来なくてはならない。
ところが、記録情報表示ラベルを外装カバーに接着していた接着剤や前記透明フイルムを弱くすると、使用中に剥がれてしまったり、ユーザが誤って剥がしてしまう恐れがあり、安全に関する注意等、ユーザに対する情報提供が出来なくなっていた。
従って、従来の外装カバー及びその外装カバーを具備する画像形成装置は、外装カバーには、記録情報表示ラベルが接着剤で貼り付けられていて、この記録情報表示ラベルを剥離する時に接着剤残りが生じたり、記録情報表示ラベル自体が非常に剥離しにくかったり、記録情報表示ラベルを外装カバーに接着していた接着剤や透明フイルムを弱くすると、使用中に剥がれてしまったり、ユーザが誤って剥がしてしまう恐れがあり、安全に関する注意等、ユーザに対する情報提供が出来なくなり、外装カバーのリサイクルがコスト高にもなると言う不具合が生じていた。
【０００４】
【発明が解決しようとする課題】
従来の外装カバー及びその外装カバーを具備する画像形成装置は、外装カバーには、記録情報表示ラベルが接着剤で貼り付けられていて、この記録情報表示ラベルを剥離する時に接着剤残りが生じたり、記録情報表示ラベル自体が非常に剥離しにくかったり、記録情報表示ラベルを外装カバーに接着していた接着剤や透明フイルムを弱くすると、使用中に剥がれてしまったり、ユーザが誤って剥がしてしまう恐れがあり、安全に関する注意等、ユーザに対する情報提供が出来なくなり、外装カバーのリサイクルがコスト高にもなると言う問題が発生していた。
そこで本発明の課題は、このような問題点を解決するものである。即ち、記録情報表示ラベルの保持方法が容易で使用中は確実に保持されて提供する記録情報を表示した後に、再利用時には記録情報表示ラベルの取り外し方法が容易で接着剤が残ることが無く再利用が容易で低コストの外装カバー及びその外装カバーを具備する画像形成装置を提供することを目的とする。
【０００５】
【課題を解決するための手段】
上記目的を達成するために、請求項１の本発明は、ラベルを取り外して再利用する外装カバーにおいて、装置の一部又は全部を覆う外装カバー本体と、上記外装カバー本体の穴を開けて形成した記録情報表示穴と、上記記録情報表示穴から記録情報を表示する記録情報表示ラベルと、上記記録情報表示ラベルを接着剤を使用することなく記録情報を表示して差込又は押圧して保持する記録情報表示ラベル保持手段とからなる外装カバーであることを最も主要な特徴とする。
請求項２の本発明は、請求項１に記載の外装カバーにおいて、記録情報表示ラベル保持手段は、記録情報表示穴に記録情報表示ラベルの角を差し込む記録情報表示ラベル角差込穴からなる外装カバーであることを主要な特徴とする。
請求項３の本発明は、請求項２に記載の外装カバーにおいて、記録情報表示ラベル角差込穴は、複数個からなる外装カバーであることを主要な特徴とする。
請求項４の本発明は、請求項１、２又は３に記載の外装カバーにおいて、記録情報表示ラベル保持手段は、記録情報表示ラベルの記録情報非表示面を覆って分割して抑える抑え部材とからなる外装カバーであることを主要な特徴とする。
請求項５の本発明は、請求項４に記載の外装カバーにおいて、抑え部材は、記録情報表示ラベルの表示面の中央部に形成した外装カバーであることを主要な特徴とする。
【０００６】
請求項６の本発明は、請求項１に記載の外装カバーにおいて、記録情報表示ラベル保持手段は、記録情報表示ラベルの表示面の表示面端部に当接する表示面端部当接部と、差し込まれる上記記録情報表示ラベルの裏面の裏面端部の差込を案内して保持する裏面端部案内保持部材とからなる外装カバーであることを主要な特徴とする。
請求項７の本発明は、請求項６に記載の外装カバーにおいて、裏面端部差込案内保持部材は、滑り込ませて差し込まれた記録情報表示ラベルの逆戻りを防止する逆戻り防止部材からなる外装カバーであることを主要な特徴とする。
請求項８の本発明は、請求項項１に記載の外装カバーにおいて、記録情報表示ラベル保持手段は、記録情報表示ラベルの表示面の表示面端部に当接する表示面端部当接部と、記録情報表示ラベルの裏面を押圧して保持する記録情報表示ラベル裏面押圧保持カバーからなる外装カバーであることを主要な特徴とする。
請求項９の本発明は、請求項８に記載の外装カバーにおいて、記録情報表示ラベル裏面押圧保持カバーは、外装カバー本体に位置決めする位置決め部材からなる外装カバーであることを主要な特徴とする。
請求項１０の本発明は、請求項８又は９に記載の外装カバーにおいて、記録情報表示ラベル裏面押圧保持カバーは、外装カバー本体に記録情報表示ラベルの表示面側から固定する固定手段からなる外装カバーであることを主要な特徴とする。
請求項１１の本発明は、請求項１０に記載の外装カバーにおいて、固定手段は、外装カバー本体に形成された螺子穴と、上記螺子穴に挿入する止め螺子と、上記止め螺子で螺子止めする記録情報表示ラベル裏面押圧保持カバーに形成したセルフタップ螺子用下穴とからなる外装カバーであることを主要な特徴とする。
請求項１２の本発明は、電子写真方法で画像を形成する装置を再利用する外装カバーで覆って画像を形成する画像形成装置において、形成画像を被転写体に転写してトナー画像を形成するトナー画像形成手段と、上記トナー画像形成手段を覆う請求項１乃至１１の何れか一項に記載の外装カバーと、上記外装カバーを装置本体に固定する固定部材からなる画像形成装置であることを最も主要な特徴とする。
【０００７】
【作用】
上記のように構成された外装カバー及びその外装カバーを具備する画像形成装置は、請求項１においては、装置の一部又は全部を覆う外装カバー本体の穴を開けて形成した記録情報表示穴から記録情報を表示する記録情報表示ラベルを、記録情報表示ラベル保持手段によって、接着剤を使用することなく、差込又は押圧して保持して記録情報を表示する。
請求項２においては、装置の一部又は全部を覆う外装カバー本体の穴を開けて形成した記録情報表示穴から記録情報を表示する記録情報表示ラベルを、記録情報表示ラベル保持手段の記録情報表示穴に記録情報表示ラベルの角を差し込む記録情報表示ラベル角差込穴に、接着剤を使用することなく、差し込んで保持して記録情報を表示する。
請求項３においては、装置の一部又は全部を覆う外装カバー本体の穴を開けて形成した記録情報表示穴から記録情報を表示する記録情報表示ラベルを、記録情報表示ラベル保持手段の記録情報表示穴に記録情報表示ラベルの角を差し込む複数個からなる記録情報表示ラベル角差込穴に、接着剤を使用することなく、差し込んで保持して記録情報を表示する。
請求項４においては、装置の一部又は全部を覆う外装カバー本体の穴を開けて形成した記録情報表示穴から記録情報を表示する記録情報表示ラベルを、記録情報表示ラベル保持手段の記録情報表示ラベルの記録情報非表示面を覆って分割して抑える抑え部材に、接着剤を使用することなく、差し込んで保持して記録情報を表示する。
請求項５においては、装置の一部又は全部を覆う外装カバー本体の穴を開けて形成した記録情報表示穴から記録情報を表示する記録情報表示ラベルを、記録情報表示ラベル保持手段の記録情報表示ラベルの表示面の中央部の記録情報非表示面を覆って分割して抑える抑え部材に、接着剤を使用することなく、差し込んで保持して記録情報を表示する。
【０００８】
請求項６においては、装置の一部又は全部を覆う外装カバー本体の穴を開けて形成した記録情報表示穴から記録情報を表示する記録情報表示ラベルを、記録情報表示ラベル保持手段の記録情報表示ラベルの表示面の表示面端部に当接する表示面端部当接部と差し込まれる記録情報表示ラベルの裏面の裏面端部の差込を案内して保持する裏面端部差込案内保持部剤に、接着剤を使用することなく、差し込んで保持して記録情報を表示する。
請求項７においては、装置の一部又は全部を覆う外装カバー本体の穴を開けて形成した記録情報表示穴から記録情報を表示する記録情報表示ラベルを、記録情報表示ラベル保持手段の記録情報表示ラベルの表示面の表示面端部に当接する表示面端部当接部と差し込まれる記録情報表示ラベルの裏面の裏面端部の差込を案内して保持する裏面端部差込案内保持部剤に、接着剤を使用することなく、差し込んで保持して記録情報を表示すると共に裏面端部差込案内保持部材は逆戻り防止部材により滑り込ませて差し込まれた記録情報表示ラベルの逆戻りを防止する。
請求項８においては、装置の一部又は全部を覆う外装カバー本体の穴を開けて形成した記録情報表示穴から記録情報を表示する記録情報表示ラベルを、記録情報表示ラベル保持手段の記録情報表示ラベルの表示面の表示面端部に当接する表示面端部当接部と記録情報表示ラベルの裏面を押圧して保持する記録情報表示ラベル裏面押圧保持カバーによって、接着剤を使用することなく、押圧して保持して記録情報を表示する。
請求項９においては、装置の一部又は全部を覆う外装カバー本体の穴を開けて形成した記録情報表示穴から記録情報を表示する記録情報表示ラベルを、記録情報表示ラベル保持手段の記録情報表示ラベルの表示面の表示面端部に当接する表示面端部当接部と記録情報表示ラベルの裏面を押圧して保持する記録情報表示ラベル裏面押圧保持カバーによって、接着剤を使用することなく、押圧して保持して記録情報を表示すると共に記録情報表示ラベル裏面押圧保持カバーは位置決め部材によって外装カバー本体に位置決めする。
【０００９】
請求項１０においては、装置の一部又は全部を覆う外装カバー本体の穴を開けて形成した記録情報表示穴から記録情報を表示する記録情報表示ラベルを、記録情報表示ラベル保持手段の記録情報表示ラベルの表示面の表示面端部に当接する表示面端部当接部と記録情報表示ラベルの裏面を押圧して保持する記録情報表示ラベル裏面押圧保持カバーによって、接着剤を使用することなく、押圧して保持して記録情報を表示すると共に記録情報表示ラベル裏面押圧保持カバーは固定手段によって外装カバー本体に記録情報表示ラベルの表示面側から固定する。
請求項１１においては、装置の一部又は全部を覆う外装カバー本体の穴を開けて形成した記録情報表示穴から記録情報を表示する記録情報表示ラベルを、記録情報表示ラベル保持手段の記録情報表示ラベルの表示面の表示面端部に当接する表示面端部当接部と記録情報表示ラベルの裏面を押圧して保持する記録情報表示ラベル裏面押圧保持カバーによって、接着剤を使用することなく、押圧して保持して記録情報を表示すると共に記録情報表示ラベル裏面押圧保持カバーは固定手段の外装カバー本体に形成された螺子穴と螺子穴に挿入する止め螺子と止め螺子で螺子止めする記録情報表示ラベル裏面押圧保持カバーに形成したセルフタップ螺子用下穴によって外装カバー本体に記録情報表示ラベルの表示面側から固定する。
請求項１２においては、形成画像を被転写体に転写してトナー画像を形成するトナー画像形成手段を覆う請求項１乃至１１の何れか一項に記載の外装カバーを装置本体に固定部材で固定する。
【００１０】
【発明の実施の形態】
次に、本発明の実施の形態を図面を参照して詳細に説明する。
図１乃至図３は本発明の一実施形態に係る外装カバーの説明図、記録情報表示ラベル、及び記録情報表示ラベル保持手段の説明図である。同図において、ラベルを取り外して再利用する外装カバー０の外装カバー０ａは、装置の一部又は全部を覆う外装カバー本体１の穴を開けて形成した記録情報表示穴２としての記録情報表示穴２ａと記録情報表示穴２ｂから記録情報を表示する記録情報表示ラベル３を、接着剤を使用することなく、記録情報表示ラベル保持手段４で記録情報表示穴２ａと記録情報表示穴２ｂに滑り込ませて差し込んで保持するから、上記記録情報表示ラベル３の保持方法が容易で使用中は確実に保持されて提供する記録情報を表示した後に、再利用する時には上記記録情報表示ラベル３の取り外し方法が容易で接着剤が残ることが無く再利用が容易で低コストである。
記録情報表示ラベル保持手段４は、記録情報表示ラベル３の各角３ａの、角３ａ１、角３ａ２、角３ａ３、角３ａ４（図２を参照）を、記録情報表示穴２ａと記録情報表示穴２ｂの４隅に形成された隙間の記録情報表示ラベル角差込穴４ａの各記録情報表示ラベル角差込穴４ａ１、記録情報表示ラベル角差込穴４ａ２、記録情報表示ラベル角差込穴４ａ３、記録情報表示ラベル角差込穴４ａ４（図１を参照）に、図示の矢印（Ａ）方向、図示の矢印（Ｂ）方向、図示の矢印（Ｃ）、及び、図示の矢印（Ｄ）方向に滑り込ませて差し込んで保持されるようになっているから、記録情報表示ラベル３の保持方法が複数の隙間に滑り込ませて差し込むだけに容易で、使用中は更に確実に保持されて提供する記録情報を表示した後に、再利用時には記録情報表示ラベル３を押し曲げて引き抜くだけの取り外し方法が容易で接着剤が残ることが無く再利用が容易で低コストである。
更に、記録情報表示ラベル保持手段４の抑え部材４ｂは、記録情報表示ラベル差込穴４ｂ１に記録情報表示ラベル３を図示の矢印（Ｅ）方向、又は、図示の矢印（Ｆ）方向から滑り込ませて差し込んで（図１を参照）、表示面３ｂの記録情報表示面３ｂ１と記録情報表示面３ｂ２以外の提供する記録情報が書き込まれていない記録情報非表示面３ｂ３を覆って分割して抑えるようになっている（図３を参照）から、上記情報表示ラベル３を滑り込ませて差し込めば、使用中は容易には外れないので、更に確実に保持される。
抑え部材４ｂは、表示面３ｂの中央部を上から覆うので、更に確実にバランスが良く安定して保持される外装カバー０ａを提供することが出来るようになった。
【００１１】
図４乃至図７は本発明の他の実施形態に係る外装カバーに設けたラベル保持手段の外観図、表示ラベルの構成図、ラベル保持手段の要部斜視図、及び保持状態の正面図である。同図において、ラベルを取り外して再利用する上記外装カバー０の外装カバー０ｂは、装置の一部又は全部を覆う上記外装カバー本体１の穴を開けて形成した記録情報表示穴２から記録情報を表示する記録情報表示ラベル３を、接着剤を使用することなく、記録情報表示ラベル保持手段４で記録情報表示穴２に滑り込ませて差し込んで保持するから、記録情報表示ラベル３の保持方法が容易で使用中は確実に保持されて提供する記録情報を略全面を表示した後に、再利用する時には記録情報表示ラベル３の取り外し方法が容易で接着剤が残ることが無く再利用が容易で低コストである。
記録情報表示ラベル保持手段４の表示面端部当接部４ｃは、図示の矢印（Ｇ）方向から滑り込ませて差し込まれる表示面３ｂの表示面端部３ｃ（図５を参照）に当接するようになっている（図６を参照）。
他方、上記記録情報表示ラベル保持手段４の裏面端部案内保持部材４ｄは、図示の矢印（Ｇ）方向から滑り込ませて差し込まれる記録情報表示ラベル３の裏面３ｄの裏面端部３ｄ１（図７を参照）を案内して保持して、逆戻り防止部材４ｄ１によって滑り込ませて差し込まれた上記記録情報表示ラベル３の逆戻りを防止するようになっている（図６を参照）。
従って、記録情報表示ラベル３の保持方法が、裏面端部案内保持部材４ｄの案内で滑り込ませて差し込むだけに容易で、使用中は更に確実に保持されて提供する記録情報を略全面を表示した後に、再利用時には上記逆戻り防止部材４ｄ１を除去して、上記記録情報表示ラベル３を引き下げて引き抜くだけの取り外し方法が容易で接着剤が残ることが無く再利用が容易で低コストである。
【００１２】
図８乃至図１１は本発明の他の実施形態に係る外装カバーの要部越すエイズ、ラベル保持手段の要部構成図、表示ラベルを取り付ける手順の説明図、及び表示ラベルを保持した状態の説明図である。同図において、ラベルを取り外して再利用する上記外装カバー０の外装カバー０ｃは、装置の一部又は全部を覆う上記外装カバー本体１に穴を開けて形成した記録情報表示穴２から記録情報を表示する記録情報表示ラベル３を、接着剤を使用することなく、記録情報表示ラベル保持手段４で記録情報表示穴２に押圧して保持するから、記録情報表示ラベル３の保持方法が容易で使用中は確実に保持されて提供する記録情報を略全面を表示した後に、再利用する時には上記記録情報表示ラベル３の取り外し方法が容易で接着剤が残ることが無く再利用が容易で低コストである。
上記記録情報表示ラベル保持手段４の記録情報表示ラベル裏面押圧保持カバー４ｅは、凹形状部４ｅ３に記録情報表示ラベル３を図示の矢印（Ｈ）方向に嵌め込んで（図９を参照）、複数の位置決め部材４ｅ１によって外装カバー本体１の正確な位置に位置決めされて（図１０を参照）、外装カバー本体１に記録情報表示ラベル３の表示面３ｂ側から固定手段４ｅ２で確実に固定して裏面３ｄを押圧して、上記表示面端部当接部４ｃに上記記録情報表示ラベル３の上記表示面３ｂの上記表示面端部３ｃが当接して保持するようになっている（図１１を参照）。
上記固定手段４ｅ２は、上記外装カバー本体１に形成された螺子穴４ｅ２１と、上記螺子穴４ｅ２１に挿入する止め螺子４ｅ２２と、上記止め螺子４ｅ２２で螺子止めする上記記録情報表示ラベル裏面押圧保持カバー４ｅに形成したセルフタップ螺子用下穴４ｅ２３と簡単な構成と方法で押圧して保持、又は、取り外しも容易に行なわれる。
従って、上記記録情報表示ラベル３の保持方法が、上記記録情報表示ラベル裏面押圧保持カバー４ｅの押圧だけで容易に、上記記録情報表示穴２の裏側から覆われるので、上記記録情報表示穴２の内部に危険な部品があっても、ユーザ等が不用意に接触することが防止され、使用中は更に確実に安全に正確な位置に固定して保持されて提供する記録情報を略全面を表示した後に、再利用時には上記固定手段４ｅ２の上記止め螺子４ｅ２２を緩めて螺子止めを解除して、上記記録情報表示ラベル３を上記凹形状部４ｅ３から引き抜くだけの取り外し方法が容易で接着剤が残ることが無く再利用が容易で低コストである。
【００１３】
図１２において、画像形成装置１０は、形成画像を被転写体（Ｐ）の転写用紙に転写してトナー画像を形成するトナー画像形成手段１１を、請求項１乃至１１の何れか一項に記載の上記外装カバー０の上記外装カバー０ａ、上記外装カバー０ｂ、又は、上記外装カバー０ｃで覆て、装置本体１０ａに固定部材１２で固定されている。
上記画像形成装置１０は、原稿読み取り、その原稿画像に基づいて電子写真方式による画像形成を行う複写機能とプリンタの機能を有しているが、更に、ファクシミリ装置としての機能を追加することも出来る。
画像形成装置本体１０ａの上部に固設された原稿読取りユニット１１ａのコンタクトガラス１１ａ１上に図示していない原稿が置かれ、この原稿は図示の矢印（Ｉ）方向の右方向へ移動する光源１１ａ２によって照明され、その反射光像は、上記光源１１ａ２と共に図示の矢印（Ｉ）方向の右方向に移動する第１ミラー１１ａ３に反射し、次いで、上記光源１１ａ２の１／２の速さで図示の矢印（Ｉ）方向の右方向に移動する第２ミラー１１ａ４、及び、第３ミラー１１ａ５で反射した後、読取り装置１１ａ６に入射する。
上記読読取り装置１１ａ６は、図示しない原稿からの反射光像を読み取るための、例えば、ＣＣＤよりなる図示していないイメージセンサと、このイメージセンサに光像を結像する同じく図示していない結像レンズを有している。
潜像形成手段１１ｂは、図示していないレーザ光源から出射するレーザ光を反射する回転多面鏡１１ｂ１、ｆθレンズ等からなる走査結像用のレンズ系１１ｂ２を通ったレーザ光を反射するミラー１１ｂ３、ミラー１１ｂ４、ミラー１１ｂ５を有し、そのレーザ光（Ｌ）が潜像担持体１１ｃであるドラム形状の感光体上に結像されるようになっている。
レーザ光（Ｌ）は、上記読取り装置１１ａ６で読み取られた画像信号に対応して、光変調されており、かかるレーザ光（Ｌ）を照射された上記潜像担持体１１ｃであるドラム形状の感光体の表面には、画像原稿に対応する静電潜像が形成される。上述した静電潜像は、現像装置１１ｄを通過するとき、トナー画像として可視像化される。
【００１４】
上記現像装置１１ｄは、現像剤（Ｔ）を収容した現像容器１１ｄ１のケースとその内部で回転可能に支持された現像剤担持体１１ｄ２の現像ローラを有し、回転駆動される上記現像剤担持体１１ｄ２の現像ローラの周面に現像剤（Ｔ）が担持されて搬送され、かかる搬送現像剤（Ｔ）によって、上記潜像担持体１１ｃであるドラム形状の感光体に形成された静電潜像がトナー画像として可視像化される。
上記現像装置１１ｄは、現像剤（Ｔ）としては、トナーとキャリアを有する粉体状の２成分現像剤が用いられているが、キャリアを含まない１成分現像剤を用いることも出来る。
一方、給紙ユニット１１ｅの複数の給紙カセット１１ｅ１、給紙カセット１１ｅ２、給紙カセット１１ｅ３のいずれかのカセットから被転写体（Ｐ）の転写用紙が図示の矢印（Ｊ）方向に給送され、その被転写体（Ｐ）の転写用紙がレジストローラ対１１ｆによって、上記潜像担持体１１ｃであるドラム形状の感光体のトナー画像に整合するタイミングで、上記潜像担持体１１ｃであるドラム形状の感光体と転写手段１１ｇの転写ベルト１１ｇ１との間の転写位置（Ｓ）の転写ニップ部（Ｎ）に給送される。
電気的に中抵抗である材料より形成された無端状の上記転写ベルト１１ｇ１は、駆動ローラ１１ｇ２と従動ローラ１１ｇ３とに巻き掛けられて図示の矢印（Ｋ）方向に駆動され、転写位置（Ｓ）において上記潜像担持体１１ｃであるドラム形状の感光体の表面に当接して転写ニップ部（Ｎ）を形成している。
上記レジストローラ対１１ｆによって送り出された被転写体（Ｐ）の転写用紙は、上記転写ベルト１１ｇ１に担持されて搬送されつつ、上記転写ベルト１１ｇ１と上記潜像担持体１１ｃであるドラム形状の感光体の間の転写位置（Ｓ）の転写ニップ部（Ｎ）を通過する。
この時、上記転写ベルト１１ｇ１の裏面側に配置された上記転写手段１１ｇの転写バイアスローラには、上記潜像担持体１１ｃであるドラム形状の感光体上のトナーの帯電特性と逆特性の電圧が印加され、上記潜像担持体１１ｃであるドラム形状の感光体上のトナー画像が被転写体（Ｐ）の転写用紙の表面に静電転写される。
【００１５】
トナー画像を転写された被転写体（Ｐ）の転写用紙は、引き続き上記転写ベルト１１ｇ１に担持されて搬送され、上記転写ベルト１１ｇ１を離れた後に、ガイド部材を通過して、定着器１１ｈを通り、このとき熱と圧力の作用でトナー画像が被転写体（Ｐ）の転写用紙上に定着される。
次いで、この被転写体（Ｐ）の転写用紙は、排紙ローラ対１１ｉによってコピー紙として排紙トレイ１１ｊに排出されて収納される。
トナー画像を転写後の上記潜像担持体１１ｃであるドラム形状の感光体表面には被転写体（Ｐ）の転写用紙に転写されなかった転写残トナーが付着しており、かかる転写残トナーは、クリーニング手段１１ｋによって除去され、上記潜像担持体１１ｃであるドラム形状の感光体表面が清掃される。
清掃後の上記潜像担持体１１ｃであるドラム形状の感光体表面はランプより成る除電器１１ｌにより除電作用を受けて初期化され、更に、帯電器１１ｍにより、上記潜像担持体１１ｃであるドラム形状の感光体は一様に帯電され、引き続き、前述の画像形成動作が実行される。
従って、使用中は、形成画像を被転写体（Ｐ）の転写用紙に転写してトナー画像を形成する上記トナー画像形成手段１１を覆う上記外装カバー０の上記外装カバー０ａ、上記外装カバー０ｂ、又は、上記外装カバー０ｃを上記装置本体１０ａに上記固定部材１２で固定され、上記記録情報表示ラベル保持手段４により上記記録情報表示ラベル３を接着剤を使用することなく差込又は押圧して容易で確実に保持されて提供する記録情報を表示した後に、再利用時には、上記記録情報表示ラベル保持手段４により上記記録情報表示ラベル３の上記外装カバー０の上記外装カバー０ａ、上記外装カバー０ｂ、又は、上記外装カバー０ｃからの取り外し方法が容易で接着剤が残ることが無く再利用が容易で低コストである上記画像形成装置１０を提供することが出来るようになった。
【００１６】
【発明の効果】
本発明は、以上説明したように構成されているので、請求項１の発明によれば、記録情報表示ラベルの保持方法が容易で、使用中は確実に保持されて提供する記録情報を表示した後に、再利用時には記録情報表示ラベルの取り外し方法が容易で接着剤が残ることが無く再利用が容易で低コストの外装カバーを提供することが出来るようになった。
請求項２の発明によれば、記録情報表示ラベルの保持方法が隙間に滑り込ませて差し込むだけに容易で、使用中は確実に保持されて提供する記録情報を表示した後に、再利用時には記録情報表示ラベルの取り外し方法が容易で接着剤が残ることが無く再利用が容易で低コストの外装カバーを提供することが出来るようになった。
請求項３の発明によれば、記録情報表示ラベルの保持方法が隙間に滑り込ませて差し込むだけに容易で、使用中は更に確実に保持されて提供する記録情報を表示した後に、再利用時には記録情報表示ラベルの取り外し方法が容易で接着剤が残ることが無く再利用が容易で低コストの外装カバーを提供することが出来るようになった。
請求項４の発明によれば、記録情報表示ラベルの保持方法が容易で、使用中は容易には外れないので更に確実に保持されて提供する記録情報を表示した後に、再利用時には記録情報表示ラベルの取り外し方法が容易で接着剤が残ることが無く再利用が容易で低コストの外装カバーを提供することが出来るようになった。請求項５の発明によれば、記録情報表示ラベルの保持方法が容易で、使用中は容易には外れないので更に確実にバランスが良く安定して保持されて提供する記録情報を表示した後に、再利用時には記録情報表示ラベルの取り外し方法が容易で接着剤が残ることが無く再利用が容易で低コストの外装カバーを提供することが出来るようになった。
【００１７】
請求項６の発明によれば、記録情報表示ラベルの保持方法が容易で、使用中は確実に保持されて提供する記録情報を略全面を表示した後に、再利用時には記録情報表示ラベルの取り外し方法が容易で接着剤が残ることが無く再利用が容易で低コストの外装カバーを提供することが出来るようになった。
請求項７の発明によれば、記録情報表示ラベルの保持方法が容易で、滑り込ませて差し込まれた記録情報表示ラベルの逆戻りを防止して、使用中は更に確実に保持されて提供する記録情報を略全面を表示した後に、再利用時には記録情報表示ラベルの取り外し方法が容易で接着剤が残ることが無く再利用が容易で低コストの外装カバーを提供することが出来るようになった。
請求項８の発明によれば、記録情報表示ラベル裏面押圧保持カバーで、記録情報表示穴の裏側から覆われるので記録情報表示穴の内部に危険な部品があってもユーザ等が不用意に接触することが防止され、記録情報表示ラベルの保持方法が押圧だけで容易に、使用中は更に確実に安全保持されて提供する記録情報を略全面を表示した後に、再利用時には記録情報表示ラベルの取り外し方法が容易で接着剤が残ることが無く再利用が容易で低コストの外装カバーを提供することが出来るようになった。
請求項９の発明によれば、記録情報表示ラベル裏面押圧保持カバーで、記録情報表示穴の裏側から覆われるので記録情報表示穴の内部に危険な部品があってもユーザ等が不用意に接触することが防止され、正確な位置に位置決めされた記録情報表示ラベルの保持方法が押圧だけで容易に、使用中は更に確実に安全保持されて提供する記録情報を略全面を表示した後に、再利用時には記録情報表示ラベルの取り外し方法が容易で接着剤が残ることが無く再利用が容易で低コストの外装カバーを提供することが出来るようになった。
請求項１０の発明によれば、確実に固定した記録情報表示ラベル裏面押圧保持カバーで、記録情報表示穴の裏側から覆われるので記録情報表示穴の内部に危険な部品があってもユーザ等が不用意に接触することが防止され、記録情報表示ラベルの保持方法が押圧だけで容易に、使用中は更に確実に更に安全に保持されて提供する記録情報を略全面を表示した後に、再利用時には記録情報表示ラベルの取り外し方法が容易で接着剤が残ることが無く再利用が容易で低コストの外装カバーを提供することが出来るようになった。
【００１８】
請求項１１の発明によれば、簡単な構成と方法で確実に固定した記録情報表示ラベル裏面押圧保持カバーで、記録情報表示穴の裏側から覆われるので記録情報表示穴の内部に危険な部品があってもユーザ等が不用意に接触することが防止され、記録情報表示ラベルの保持方法が押圧だけで容易に、使用中は更に確実に更に安全に保持されて提供する記録情報を略全面を表示した後に、再利用時には記録情報表示ラベルの取り外し方法が容易で接着剤が残ることが無く再利用が容易で低コストの外装カバーを提供することが出来るようになった。
請求項１２の発明によれば、使用中は、形成画像を被転写体に転写してトナー画像を形成するトナー画像形成手段を覆う外装カバーを装置本体に固定部材で固定され、記録情報表示ラベル保持手段により記録情報表示ラベルを接着剤を使用することなく差込又は押圧して容易で確実に保持されて提供する記録情報を表示した後に、再利用時には、記録情報表示ラベル保持手段により記録情報表示ラベルの外装カバーからの取り外し方法が容易で接着剤が残ることが無く再利用が容易で低コストである画像形成装置を提供することが出来るようになった。
【図面の簡単な説明】
【図１】本発明の実施の形態例を示す外装カバーを説明する斜視図。
【図２】本発明の実施の形態例を示す外装カバーの主要部を説明する説明図。
【図３】本発明の実施の形態例を示す外装カバーの他の主要部の状態を説明する説明図。
【図４】本発明の他の実施の形態例を示す外装カバーを説明する斜視図。
【図５】本発明の他の実施の形態例を示す外装カバーの主要部を説明する説明図。
【図６】本発明の他の実施の形態例を示す外装カバーの他の主要部の状態を説明する説明図。
【図７】本発明の他の実施の形態例を示す外装カバーの他の主要部の状態を説明する説明図。
【図８】本発明の他の実施の形態例を示す外装カバーを説明する斜視図。
【図９】本発明の他の実施の形態例を示す外装カバーの主要部の状態を説明する説明図。
【図１０】本発明の他の実施の形態例を示す外装カバーの他の主要部を説明する説明図。
【図１１】本発明の他の実施の形態例を示す外装カバーの他の主要部の他の状態を説明する説明図。
【図１２】本発明の実施の形態例を示す外装カバーを具備する画像形成装置を説明する説明図。
【図１３】従来の外装カバーを説明する斜視図。
【符号の説明】
０　外装カバー、０ａ　外装カバー、
０ｂ　外装カバー、
０ｃ　外装カバー
１　外装カバー本体
２　記録情報表示穴、２ａ、　記録情報表示穴、
２ｂ、　記録情報表示穴
３　記録情報表示ラベル、３ａ　角、３ａ１　角、
３ａ２　角、
３ａ３　角、
３ａ４　角、
３ｂ　表示面、３ｂ１　記録情報表示面、
３ｂ２　記録情報表示面、
３ｂ３　記録情報非表示面、
３ｃ　表示面端部、
３ｄ　裏面、３ｄ１　裏面端部
４　記録情報表示ラベル保持手段、４ａ　記録情報表示ラベル角差込穴、
４ａ１　記録情報表示ラベル角差込穴、
４ａ２　記録情報表示ラベル角差込穴、
４ａ３　記録情報表示ラベル角差込穴、
４ａ４　記録情報表示ラベル角差込穴、
４ｂ　抑え部材、
４ｂ１　記録情報表示ラベル差込穴、
４ｃ　表示面端部当接部、
４ｄ　裏面端部差込案内保持部材、
４ｄ１　逆戻り防止部材、
４ｅ　記録情報表示ラベル裏面押圧保持カバー、
４ｅ１　位置決め部材、
４ｅ２　固定手段、
４ｅ２１　螺子穴、
４ｅ２２　止め螺子、
４ｅ２３　セルフタップ螺子用下穴、
４ｅ３　凹形状部、
１０　画像形成装置、１０ａ　装置本体
１１　トナー画像形成手段、　　　１１ａ　原稿読取りユニット、
１１ａ１　コンタクトガラス、
１１ａ２　光源、
１１ａ３　第１ミラー、
１１ａ４　第２ミラー、
１１ａ５　第３ミラー、
１１ａ６　読取り装置、
１１ｂ　潜像形成手段
１１ｂ１　回転多面鏡、
１１ｂ２　レンズ系、
１１ｂ３　ミラー、
１１ｂ４　ミラー、
１１ｂ５　ミラー、
１１ｃ　潜像担持体、
１１ｄ　現像装置
１１ｄ１　現像容器、
１１ｄ２　現像剤担持体、
１１ｅ　給紙ユニット、
１１ｅ１　給紙カセット、
１１ｅ２　給紙カセット、
１１ｅ３　給紙カセット、
１１ｆ　レジストローラ対、
１１ｇ　転写手段、
１１ｇ１　転写ベルト、
１１ｇ２　駆動ローラ、
１１ｇ３　従動ローラ、
１１ｈ　定着器、
１１ｉ　排紙ローラ、
１１ｊ　排紙トレイ、
１１ｋ　クリーニング手段、
１１ｌ　除電器、
１１ｍ　帯電器
１２　固定部材
１００　外装カバー
１１０　画像形成装置、１１０ａ　装置本体
１１１　トナー画像形成部
１１２　取り付け螺子
１１３　記録情報表示ラベル
１１４　接着剤
【図１】
2004004196.tif 000003
【図２】
2004004196.tif 000004
【図３】
2004004196.tif 000005
【図４】
2004004196.tif 000006
【図５】
2004004196.tif 000007
【図６】
2004004196.tif 000008
【図７】
2004004196.tif 000009
【図８】
2004004196.tif 000010
【図９】
2004004196.tif 000011
【図１０】
2004004196.tif 000012
【図１１】
2004004196.tif 000013
【図１２】
2004004196.tif 000014
【図１３】
2004004196.tif 000015